(57)【特許請求の範囲】
【請求項１】
文字や絵などのキャラクタを表示する電子ディスプレイを備える電子ディスプレイ装置において、
人間が接近したことを検知する人体センサ、
前記人体センサからの検知信号に応答して前記電子ディスプレイによって所定の表示メッセージを表示する表示手段、
前記人体センサからの検知信号に応答して前記表示メッセージに関連する香りを発生する香り発生手段、
前記人体センサからの検知信号に応答して音声メッセージを出力する音声出力手段、および
販促カードを発行するカード発行手段をさらに設けたことを特徴とする、多機能電子ディスプレイ装置。
【請求項２】
外部から入力された音声を録音する録音手段をさらに備え、
前記音声出力手段は前記録音手段によって録音した音声を再生する再生手段を含む、請求項１記載の多機能電子ディスプレイ装置。
【発明の詳細な説明】
【０００１】
【産業上の利用分野】
この発明は多機能電子ディスプレイ装置に関し、特にたとえば発光ダイオードアレイ，プラズマディスプレイ，ＣＲＴ，液晶ディスプレイ等の任意の電子ディスプレイを用いて宣伝ないし集客用の表示メッセージを表示する電子ディスプレイ装置にさらに各種機能を付加した、多機能電子ディスプレイ装置に関する。
【０００２】
【従来の技術】
従来より、たとえば発光ダイオードアレイを用いて宣伝ないし集客用の表示メッセージを表示する電子ディスプレイ装置が多数実用に供されている。
【０００３】
【発明が解決しようとする課題】
従来の電子ディスプレイ装置は、いずれも、電子ディスプレイに表示メッセージを表示するだけの、いわゆる単能機であり、宣伝ないし集客効果に限界があった。
それゆえに、この発明の主たる目的は、従来の電子ディスプレイ装置に別の有意な機能を付加することによって、宣伝ないし集客効果を向上することができる多機能電子ディスプレイ装置を提供することである。
【０００７】
【課題を解決するための手段】
この発明は、文字や絵などのキャラクタを表示する電子ディスプレイを備える電子ディスプレイ装置において、人間が接近したことを検知する人体センサ、人体センサからの検知信号に応答して前記ディスプレイによって所定の表示メッセージを表示する表示手段、人体センサからの検知信号に応答して表示メッセージに関連する香りを発生する香り発生手段、人体センサからの検知信号に応答して音声メッセージを出力する音声出力手段、および販促カードを発行するカード発行手段をさらに設けたことを特徴とする、多機能電子ディスプレイ装置である。
【００１１】
【作用】
この発明においては、各機能が複合的かつ有機的に相互作用を発揮し、効果的に宣伝ないし集客機能を果たす。
【００１２】
【発明の効果】
この発明の多機能電子ディスプレイ装置によれば、従来の単能機の電子ディスプレイ装置に比べて、宣伝ないし集客効果を飛躍的に向上することができる。
この発明の上述の目的，その他の目的，特徴および利点は、図面を参照して行う以下の実施例の詳細な説明から一層明らかとなろう。
【００１３】
【実施例】
図１に示す実施例の多機能電子ディスプレイ装置１０は、ベース１２を含み、このベース１２の上に、ハウジング１４とＬＥＤ表示器１６とが設置される。なお、ベース１２の下にはキャスタ１８が取り付けられ、したがって、多機能電子ディスプレイ装置１０は移動自在に構成される。
【００１４】
ハウジング１４の上端には、香り液タンク２０が設けられ、この香り液タンク２０には、複数種類の香り液が各個別に貯留されている。香りの種類としては、たとえば食品，ハーブ，果実，化粧品，酒類等の香りが考えられる。食品の香りには、鰻，松茸，焼魚，焼肉，うどん，コーヒー等がある。ハーブには、ミント，シトラス，ラベンダ，森林香等がある。果実の香りとしては、レモン，アロエ，メロン等がある。化粧品としては、典型的には、香水がある。なお、化粧品の香りとして、上記果実の香りを利用してもよい。酒類には、ワイン，ウイスキ，リキュール等がある。
【００１５】
ハウジング１４の上部には、たとえば赤外線センサのような人体センサ２２が取り付けられていて、この人体センサ２２は、電子ディスプレイ装置１０に人が接近したとき、その人を検知する。人体センサ２２の下方には、香り出口２４が形成される。香り出口２４は、後に詳細に説明するように、香り液タンク２０に貯留された香り液を用いて発生された香りを外部に発散するための開口である。
【００１６】
ハウジング１４の香り出口２４の下方には、さらに、カード取出口２６が形成され、このカード取出口２６には、後に説明するカード発行機によって、人が容易にカードを取ることができるように、販促カード、たとえば割引券，抽選券，招待券，優待券，催し案内，新商品案内，メニューちらし等が発行される。
ハウジング１４の下部には、スピーカ２８が内蔵され、そのスピーカ２８によって、宣伝ないし集客用音声メッセージを出力する。なお、音声メッセージは、効果的には、香り出口２４から発散される香りと相関する。たとえばビールの香りが発散されているとき、『ポン！シュワー！ビールが旨い。お仕事お疲れさまでした。ビール券をお取り下さい。』のような音声メッセージが効果的である。また、たとえば鰻の香りが発散されているとき、『お昼のお食事とティタイム。カードをお取り下さい。』のような音声メッセージが出力されてもよい。
【００１７】
図２に示すブロック図を参照して、実施例の多機能電子ディスプレイ装置１０はマイクロコンピュータ３０を含む。このマイクロコンピュータ３０が、多機能電子ディスプレイ装置１０の種々の機能を制御する。マイクロコンピュータ３０には、人体センサ２２の出力が与えられ、人体センサ２２は、人の接近を検知すると、たとえば「１」の検知信号をマイクロコンピュータ３０に入力する。
【００１８】
マイクロコンピュータ３０には、さらに、たとえばＥＥＰＲＯＭのようなＲＯＭ３２およびＲＡＭ３４が結合されている。ＲＯＭ３２には、制御プログラムの他に、たとえば『いらっしゃいませ』，『有り難うございました』等の定型音声メッセージのデータが予め格納される。ＥＥＰＲＯＭが用いられる場合、マイク３６から入力される非定型音声メッセージのデータがＲＯＭ３２に格納されてもよい。ただし、このような非定型音声メッセージのデータは、ＲＡＭ３４に格納されてもよい。ＲＡＭ３４には、さらに、多機能電子ディスプレイ装置１０に接近した人の数をカウントする人数カウンタ，カード発行枚数をカウントする枚数カウンタ，および香り発生時間や音声メッセージ発生時間等の所定時間をカウントするタイマなどの領域が割り付けられている。
【００１９】
マイクロコンピュータ３０に接続されたキーボード３８は、図示しないが、テンキーの他、マイク３６からの音声を録音するときに操作される録音キー、人数カウンタおよび枚数カウンタの何れのカウント値を表示するかを設定する表示キー等を含む。テンキーは香り番号，音声メッセージ番号あるいは表示メッセージ番号を手動的に設定ないし指定するために用いられる。
【００２０】
マイク３６からの音声信号は、アンプ４０およびＡ／Ｄコンバータ４２を通して、音声データとして、マイクロコンピュータ３０に入力され、マイクロコンピュータ３０は、その音声データをＲＯＭ３２またはＲＡＭ３４に書き込む（録音する）。マイクロコンピュータ３０は、また、ＲＯＭ３２またはＲＡＭ３４から指定されたチャネルの音声データを読み出する（再生する）。読み出された音声データは、Ｄ／Ａコンバータ４４およびアンプ４６を通して、スビーカ２８に与えられ。したがって、マイクロコンピュータ３０が読み出した音声データが、音声メッセージとして、スピーカ２８から出力される。
【００２１】
マイクロコンピュータ３０は、さらに、気化コントローラ４８を制御する。気化コントローラ４８は、気化器５０ａ，５０ｂおよび５０ｃを制御し、この気化器５０ａ，５０ｂまたは５０ｃによって香りが発散される。気化器５０ａは、他の気化器５０ｂおよび５０ｃも同様であるが、香り液タンク２０（図１）からの香り液を滴下する点滴装置，点滴装置によって滴下された香り液を加熱して気化させるたとえばセラミックヒータのような加熱装置等を含む。ただし、このような気化器５０ａ，５０ｂおよび５０ｃは、超音波気化器で構成されてもよい。そして、気化器５０，５０ｂまたは５０ｃによって気化して香り液は、ファン５２によって香り出口２４（図１）から発散される。
【００２２】
カード発行機５４は、上述のような販促カード５６を発行する装置であり、マイクロコンピュータ３０の命令に応じて、カード５６を発行する。
マイクロコンピュータ３０の出力ポートにはさらに、表示ＣＰＵ５８が接続され、この表示ＣＰＵ５８は、ＬＥＤ表示器１６やサブ表示器６０にメッセージや数値を表示する。サブ表示器６０は、図１のハウジング１４の裏面に設けられ、人数カウンタや枚数カウンタの数値、すなわち、人数やカード枚数を表示するために利用される。ただし、ＬＥＤ表示器１６がサブ表示器６０に代えられてもよい。つまり、人数やカード枚数がＬＥＤ表示器１６によって表示されてもよい。なお、表示ＣＰＵ５８は、表示データを格納しておくための表示データＲＡＭを含む。
【００２３】
次に、図３を参照して、この実施例の多機能電子ディスプレイ装置１０の動作について説明する。
電源スイッチ（図示せず）がオンされると、最初のステップＳ１において、マイクロコンピュータ３０は、表示ＣＰＵ５８に指示して、表示メッセージ１をＬＥＤ表示器１６で表示させる。このときの表示メッセージとしては、「いらっしゃいませ！ただ今ビール券発行中」や「デイスカウントの○○○。ただ今割引券発行中」のような、キャッチコピーが考えられる。すなわち、この段階で表示される表示メッセージは、多機能電子ディスプレイ装置１０に人を引き寄せる効果がある表示メッセージがよい。
【００２４】
次のステップＳ２では、マイクロコンピュータ３０は、人体センサ２２から検知信号があったかどうかを判断する。検知信号がなければ、検知信号があるまで待機し、検知信号があれば、ステップＳ３において、気化器５０ａ，５０ｂまたは５０ｃで発生すべき香り番号ｉを指定するとともに、ステップＳ４において、スピーカ２８から出力すべき音声メッセージ番号ｊを指定する。つまり、ステップＳ３およびＳ４において、マイクロコンピュータ３０が香りおよび音声メッセージを選択する。したがって、マイクロコンピュータ３０は、先に説明した香りおよび音声メッセージの種類から適当なものを選択的に指定する。
【００２５】
応じて、ステップＳ５およびＳ６において、指定された香りおよび音声メッセージを出力するように、マイクロコンピュータ３０がＲＯＭ３２またはＲＡＭ３４および気化コントローラ４８を制御する。
ステップＳ７では、マイクロコンピュータ３０は、ＲＡＭ３４に形成された人数カウンタをインクリメントする。次いで、ステップＳ８において、マイクロコンピュータ３０は表示ＣＰＵ５８を制御して、別の表示メッセージ２を出力させる。このときの表示メッセージとしては、「いらっしゃい！○○亭」などが効果的である。
【００２６】
次のステップＳ９において、マイクロコンピュータ３０は、カード発行機５４からの信号に基づいて、人がカードを取ったかどうか判断する。カードが取られなかった場合には、先にのステップＳ１に戻る。カードが取られたら、次のステップＳ１０において、マイクロコンピュータ３０はカード発行機５４に指令を与え、次のカードを発行させる。そして、ステップＳ１１において、マイクロコンピュータ３０は、カード発行機５４からの発行済信号に応答して、ＲＡＭ３４の枚数カウンタをインクリメントする。
【００２７】
ここで、マイクロコンピュータ３０は、ステップＳ１２〜Ｓ１６を実行して、香り，音声メッセージおよび表示メッセージを再び出力する。すなわち、ステップＳ１２において、気化器５０ａ，５０ｂまたは５０ｃで発生すべき香り番号ｉを指定するとともに、ステップＳ１３において、スピーカ２８から出力すべき音声メッセージ番号ｊを指定する。応じて、ステップＳ１４およびＳ１６において、指定された香りおよび音声メッセージを出力するように、マイクロコンピュータ３０がＲＯＭ３２またはＲＡＭ３４および気化コントローラ４８を制御する。最後のステップＳ１６で表示される表示メッセージとしては、たとえば「有り難うございます！○○亭」等のカードを取って貰ったことに対する謝辞が考えられる。
【００２８】
なお、ステップＳ５またはＳ１４の香り出力は、具体的には、図４に示すサブルーチンに従って実行される。すなわち、気化コントローラ４８が、マイクロコンピュータ３０によって指定された香りの香り液の点滴コックを開とし、その香り液を滴下する。それと同時に、セラミックヒータを駆動して発熱させ、さらにファン５２を駆動する。したがって、この時点でマイクロコンピュータ３０によって指定された香りがハウジング１４外部に発散される。そして、マイクロコンピュータ３０は、ＲＡＭ３４内のタイマに基づいて、所定時間が経過したかどうか判断する所定時間の経過を検出すれば、マイクロコンピュータ３０は、気化コントローラ４８に対して香り発生の停止を指令する。応じて、気化コントローラ４８は、点滴用コックを閉とし、ファン５２を停止する。
【００２９】
また、ステップＳ６またはＳ１５の音声メッセージ出力は、具体的には、図５に示すサブルーチンに従って実行される。すなわち、マイクロコンピュータ３０は、先のステップＳ４またはＳ１３で指定された音声メッセージをＲＯＭ３２またはＲＡＭ３４の音声データチャネルから読み出し、それをＤ／Ａコンバータ４４へ出力する。そして、所定時間の経過を検出すれば、その音声データのＤ／Ａコンバータ４４への出力を停止し、音声メッセージの出力を終了する。
【００３０】
さらに、マイクロコンピュータ３０によって、マイク３６から、または別の外部入力（図示せず）から入力された音声信号を録音するときの動作は、図６に示すとおりである。つまり、マイクロコンピュータ３０は、ＲＯＭ３２またはＲＡＭ３４の録音チャネルを指定し、次に、キーボード３８に含まれる録音スイッチがオンされているかどうか判断する。、録音スイッチがオンされていれば、マイクロコンピュータ３０は、Ａ／Ｄコンバータ４２からの音声データを該当の録音チャネルに書き込む。
【００３１】
そして、人数および枚数をサブ表示器６０またはメイン表示器１６で表示するときの動作が、図７に示される。すなわち、図７の最初のステップで、マイクロコンピュータ３０は、キーボード３８に含まれる表示スイッチがオンされているかどうか判断する。この表示スイッチがオンされていると、次のステップで、マイクロコンピュータ３０は、人数カウンタのカウント値を表示ＣＰＵ５８に与えて、サブ表示器６０またはＬＥＤ表示器１６で人数を表示する。表示スイッチがオフされていると、次のステップで、マイクロコンピュータ３０は、枚数カウンタのカウント値を表示ＣＰＵ５８に与えて、サブ表示器６０またはＬＥＤ表示器１６で枚数を表示する。
【００３２】
なお、上述の実施例では、電子ディスプレイとしてＬＥＤ表示器を用いた。しかしながら、電子ディスプレイとしては、他に、プラズマディスプレイ，ＣＲＴ，液晶ディスプレイ等の任意の電子ディスプレイが利用可能なことはいうまでもない。
【図面の簡単な説明】
【図１】この発明の一実施例を示す外観図解図である。
【図２】この実施例の構成を示すブロック図である。
【図３】この実施例の動作を示すフロー図である。
【図４】香り発生のサブルーチンを示すフロー図である。
【図５】音声メッセージ出力のサブルーチンを示すフロー図である。
【図６】録音動作を示すフロー図である。
【図７】人数または枚数表示の動作を示すフロー図である。
【符号の説明】
１０  …多機能電子ディスプレイ装置
１６  …ＬＥＤ表示器
２２  …人体センサ
２８  …スピーカ
３０  …マイクロコンピュータ
３２  …ＲＯＭ
３４  …ＲＡＭ
３６  …マイク
３８  …キーボード
４８  …気化コントローラ
５０ａ，５０ｂ，５０ｃ  …気化器
５４  …カード発行機
５６  …カード
５８  …表示ＣＰＵ
６０  …サブ表示器
【図１】
0003631323.tif 000002
【図２】
0003631323.tif 000003
【図３】
0003631323.tif 000004
【図４】
0003631323.tif 000005
【図５】
0003631323.tif 000006
【図６】
0003631323.tif 000007
【図７】
0003631323.tif 000008